(57)【要約】【課題】  目的地到着に合わせて楽曲の再生を完了させるとともに、ユーザの操作の手間を軽減する。【解決手段】  移動体に搭載され、設定された目的地に向けて移動体の経路案内を行うナビゲーション装置１０は、予め複数の楽曲データを情報記憶部２１に記憶し、制御部２０は、目的地へ到着するまでの予定時間である到着予定時間を算出し、到着予定時間および複数の楽曲データのうち予め指定された楽曲データである特定楽曲データに対応する楽曲の再生に要する時間に基づいて、目的地の到着予定時刻を基準とする所定時間範囲内に特定楽曲データに対応する楽曲の再生が終了されるように当該特定楽曲データに対応する楽曲の再生開始時刻を制御しつつ、音楽再生部４１を介して楽曲データに対応する楽曲を再生する。【選択図】      図１
2006268941.tif 000002
【特許請求の範囲】
【請求項１】
移動体に搭載され、設定された目的地に向けて移動体の経路案内を行う情報処理装置において、
予め複数の楽曲データを記憶する楽曲記憶部と、
前記楽曲データに基づいて楽曲を再生する再生部と、
前記目的地へ到着するまでの予定時間である到着予定時間を算出する到着予定時間算出部と、
前記到着予定時間および前記複数の楽曲データのうち予め指定された楽曲データである特定楽曲データに対応する楽曲の再生に要する時間に基づいて、前記目的地の到着予定時刻を基準とする所定時間範囲内に前記特定楽曲データに対応する楽曲の再生が終了されるように当該特定楽曲データに対応する楽曲の再生開始時刻を制御する再生制御部と、
を備えたことを特徴とする情報処理装置。
【請求項２】
請求項１記載の情報処理装置において、
前記再生制御部は、前記到着予定時間から前記特定楽曲データに対応する楽曲の再生時間を除く残時間内に再生が完了するように前記複数の楽曲データのうち所定の条件に合致する一または複数の楽曲データを選択し、前記再生部に再生を行わせることを特徴とする情報処理装置。
【請求項３】
請求項１または請求項２記載の情報処理装置において、
前記複数の楽曲データのうち少なくともいずれか一の楽曲データをユーザが前記特定楽曲データとして指定する指定部を備えたことを特徴とする情報処理装置。
【請求項４】
請求項１または請求項２記載の情報処理装置において、
前記特定楽曲データは、所定の移動開始地点に対応づけられて指定されていることを特徴とする情報処理装置。
【請求項５】
請求項１ないし請求項４のいずれかに記載の情報処理装置において、
前記移動体の現在位置を検出する現在位置検出部を有し、
前記到着予定時間算出部は、前記現在位置に基づいて前記到着予定時間を更新しつつ算出し、
前記再生制御部は、前記特定楽曲データに対応する楽曲の再生開始時刻を前記更新された到着予定時間に対応する到着予定時刻を基準として前記再生開始時刻を更新する、
ことを特徴とする情報処理装置。
【請求項６】
請求項２記載の情報処理装置において、
前記移動体の現在位置を検出する現在位置検出部を有し、
前記到着予定時間算出部は、前記現在位置に基づいて前記到着予定時間を更新しつつ算出し、
前記再生制御部は、前記特定楽曲データに対応する楽曲の再生開始時刻を前記更新された到着予定時間に対応する到着予定時刻を基準として前記再生開始時刻を更新するとともに、更新された前記到着予定時間から前記特定楽曲データに対応する楽曲の再生時間を除く残時間内に再生が完了するように前記複数の楽曲データのうち所定の条件に合致する一または複数の楽曲データを選択し、前記再生部に再生を行わせることを特徴とする情報処理装置。
【請求項７】
請求項２記載の情報処理装置において、
前記所定の条件は、ユーザが予め指定した複数の楽曲データで構成される楽曲データ群に含まれる楽曲データとすることを特徴とする情報処理装置。
【請求項８】
請求項７記載の情報処理装置において、
前記楽曲データ群は、所定の移動開始地点に対応づけられて指定されていることを特徴とする情報処理装置。
【請求項９】
予め複数の楽曲データを記憶する楽曲記憶部と、前記楽曲データに基づいて楽曲を再生する再生部と、を備え、移動体に搭載されて設定された目的地に向けて移動体の経路案内を行う情報処理装置の制御方法において、
前記目的地へ到着するまでの予定時間である到着予定時間を算出する到着予定時間算出過程と、
前記到着予定時間および前記複数の楽曲データのうち予め指定された楽曲データである特定楽曲データに対応する楽曲の再生に要する時間に基づいて、前記目的地の到着予定時刻を基準とする所定時間範囲内に前記特定楽曲データに対応する楽曲の再生が終了されるように当該特定楽曲データに対応する楽曲の再生開始時刻を制御する再生制御過程と、
を備えたことを特徴とする情報処理装置の制御方法。
【請求項１０】
請求項９記載の情報処理装置の制御方法において、
前記再生制御過程は、前記到着予定時間から前記特定楽曲データに対応する楽曲の再生時間を除く残時間内に再生が完了するように前記複数の楽曲データのうち所定の条件に合致する一または複数の楽曲データを選択し、前記再生部に再生を行わせることを特徴とする情報処理装置の制御方法。
【請求項１１】
予め複数の楽曲データを記憶する楽曲記憶部と、前記楽曲データに基づいて楽曲を再生する再生部と、を備え、移動体に搭載されて設定された目的地に向けて移動体の経路案内を行う情報処理装置をコンピュータにより制御するための制御プログラムにおいて、
前記目的地へ到着するまでの予定時間である到着予定時間を算出させ、
前記到着予定時間および前記複数の楽曲データのうち予め指定された楽曲データである特定楽曲データに対応する楽曲の再生に要する時間に基づいて、前記目的地の到着予定時刻を基準とする所定時間範囲内に前記特定楽曲データに対応する楽曲の再生が終了されるように当該特定楽曲データに対応する楽曲の再生開始時刻を制御させる、
ことを特徴とする制御プログラム。
【請求項１２】
請求項９記載の制御プログラムにおいて、
前記到着予定時間から前記特定楽曲データに対応する楽曲の再生時間を除く残時間内に再生が完了するように前記複数の楽曲データのうち所定の条件に合致する一または複数の楽曲データを選択させ、前記再生部に再生を行わせる、
ことを特徴とする制御プログラム。
【発明の詳細な説明】
【技術分野】
【０００１】
本発明は、情報処理装置、情報処理装置の制御方法および制御プログラムに係り、特に移動体（例えば、車両）の経路案内を行いつつ、楽曲の再生を行う情報処理装置、情報処理装置の制御方法および制御プログラムに関する。
【背景技術】
【０００２】
従来より、車両に搭載されるナビゲーション装置として、目的地までの経路案内を行うものが知られている。
このようなナビゲーション装置において、経路案内機能に加えて、車両の現在位置に応じて音楽を再生するものが提案されている（例えば、特許文献１参照）。
このようなナビゲーション装置においては、ユーザはハードディスク装置などの外部記憶装置に記憶された地点データベースを利用して、あるいは、ユーザが任意に設定する地図上の地点から目的地設定を行い経路計算を行って、得られた誘導経路およびジャイロスコープや車速パルスを用いた自立航法により得られる自車位置あるいはＧＰＳ（Global Positioning System）やＦＭ多重放送を利用した電波航法から推定した自車位置とを、マップマッチングしながらディスプレイ画面上に表示して経路誘導を行う。
【０００３】
さらにナビゲーション装置は、ハードディスク装置に記憶されたディジタルオーディオデータや、ＣＤプレーヤなどのオーディオ再生装置により再生されたディジタルオーディオデータを用いて楽曲を再生するようになっていた。
【特許文献１】特開平１１−３０５２６号公報
【発明の開示】
【発明が解決しようとする課題】
【０００４】
しかしながら、上記従来の構成においては、ユーザが楽曲を再生しながら、車を運転して目的地に着いた場合に、未だ音楽の再生が完了しておらず、楽曲再生を中断しなければならい場合があり、使い心地が悪いという問題点があった。また逆に目的地到着前に再生が終了してしまった場合には、ユーザは、別の楽曲の選択、再生操作を行う必要が生じ、手間が煩雑であるという問題点があった。
そこで、本発明の目的は、目的地到着に合わせて楽曲の再生を完了させるとともに、ユーザの操作の手間を軽減することが可能な情報処理装置、情報処理装置の制御方法および制御プログラムを提供することにある。
【課題を解決するための手段】
【０００５】
上述課題を解決するため、移動体に搭載され、設定された目的地に向けて移動体の経路案内を行う情報処理装置において、予め複数の楽曲データを記憶する楽曲記憶部と、
前記楽曲データに基づいて楽曲を再生する再生部と、前記目的地へ到着するまでの予定時間である到着予定時間を算出する到着予定時間算出部と、前記到着予定時間および前記複数の楽曲データのうち予め指定された楽曲データである特定楽曲データに対応する楽曲の再生に要する時間に基づいて、前記目的地の到着予定時刻を基準とする所定時間範囲内に前記特定楽曲データに対応する楽曲の再生が終了されるように当該特定楽曲データに対応する楽曲の再生開始時刻を制御する再生制御部と、を備えたことを特徴としている。
【０００６】
上記構成によれば、到着予定時間算出部は、目的地へ到着するまでの予定時間である到着予定時間を算出する。
再生制御部は、到着予定時間および複数の楽曲データのうち予め指定された楽曲データである特定楽曲データに対応する楽曲の再生に要する時間に基づいて、目的地の到着予定時刻を基準とする所定時間範囲内に特定楽曲データに対応する楽曲の再生が終了されるように当該特定楽曲データに対応する楽曲の再生開始時刻を制御する。
これらの結果、再生部は、再生制御部の制御下で、楽曲記憶部から読み出した楽曲データに基づいて楽曲を再生を行い、目的地の到着予定時刻を基準とする所定時間範囲内に特定楽曲データに対応する楽曲の再生が終了することとなる。
【０００７】
この場合において、前記再生制御部は、前記到着予定時間から前記特定楽曲データに対応する楽曲の再生時間を除く残時間内に再生が完了するように前記複数の楽曲データのうち所定の条件に合致する一または複数の楽曲データを選択し、前記再生部に再生を行わせるようにしてもよい。
また、前記複数の楽曲データのうち少なくともいずれか一の楽曲データをユーザが前記特定楽曲データとして指定する指定部を備えるようにしてもよい。
さらに、前記特定楽曲データは、所定の移動開始地点に対応づけられて指定されているようにしてもよい。
【０００８】
さらにまた、前記移動体の現在位置を検出する現在位置検出部を有し、前記到着予定時間算出部は、前記現在位置に基づいて前記到着予定時間を更新しつつ算出し、前記再生制御部は、前記特定楽曲データに対応する楽曲の再生開始時刻を前記更新された到着予定時間に対応する到着予定時刻を基準として前記再生開始時刻を更新するようにしてもよい。
また、前記移動体の現在位置を検出する現在位置検出部を有し、前記到着予定時間算出部は、前記現在位置に基づいて前記到着予定時間を更新しつつ算出し、前記再生制御部は、前記特定楽曲データに対応する楽曲の再生開始時刻を前記更新された到着予定時間に対応する到着予定時刻を基準として前記再生開始時刻を更新するとともに、更新された前記到着予定時間から前記特定楽曲データに対応する楽曲の再生時間を除く残時間内に再生が完了するように前記複数の楽曲データのうち所定の条件に合致する一または複数の楽曲データを選択し、前記再生部に再生を行わせるようにしてもよい。
【０００９】
さらに、前記所定の条件は、ユーザが予め指定した複数の楽曲データで構成される楽曲データ群に含まれる楽曲データとするようにしてもよい。
さらにまた、前記楽曲データ群は、所定の移動開始地点に対応づけられて指定されているようにしてもよい。
【００１０】
また、予め複数の楽曲データを記憶する楽曲記憶部と、前記楽曲データに基づいて楽曲を再生する再生部と、を備え、移動体に搭載されて設定された目的地に向けて移動体の経路案内を行う情報処理装置の制御方法において、前記目的地へ到着するまでの予定時間である到着予定時間を算出する到着予定時間算出過程と、前記到着予定時間および前記複数の楽曲データのうち予め指定された楽曲データである特定楽曲データに対応する楽曲の再生に要する時間に基づいて、前記目的地の到着予定時刻を基準とする所定時間範囲内に前記特定楽曲データに対応する楽曲の再生が終了されるように当該特定楽曲データに対応する楽曲の再生開始時刻を制御する再生制御過程と、を備えたことを特徴としている。
【００１１】
この場合において、前記再生制御過程は、前記到着予定時間から前記特定楽曲データに対応する楽曲の再生時間を除く残時間内に再生が完了するように前記複数の楽曲データのうち所定の条件に合致する一または複数の楽曲データを選択し、前記再生部に再生を行わせるようにしてもよい。
【００１２】
また、予め複数の楽曲データを記憶する楽曲記憶部と、前記楽曲データに基づいて楽曲を再生する再生部と、を備え、移動体に搭載されて設定された目的地に向けて移動体の経路案内を行う情報処理装置をコンピュータにより制御するための制御プログラムにおいて、前記目的地へ到着するまでの予定時間である到着予定時間を算出させ、前記到着予定時間および前記複数の楽曲データのうち予め指定された楽曲データである特定楽曲データに対応する楽曲の再生に要する時間に基づいて、前記目的地の到着予定時刻を基準とする所定時間範囲内に前記特定楽曲データに対応する楽曲の再生が終了されるように当該特定楽曲データに対応する楽曲の再生開始時刻を制御させる、ことを特徴としている。
【００１３】
この場合において、前記到着予定時間から前記特定楽曲データに対応する楽曲の再生時間を除く残時間内に再生が完了するように前記複数の楽曲データのうち所定の条件に合致する一または複数の楽曲データを選択させ、前記再生部に再生を行わせるようにしてもよい。
【発明の効果】
【００１４】
本発明によれば、目的地到着に合わせて楽曲の再生を完了させるとともに、楽曲の再選択動作などに伴うユーザの操作の手間を軽減することができる。
【発明を実施するための最良の形態】
【００１５】
次に図面を参照して本発明の好適な実施の形態について説明する。
図１は、実施形態のナビゲーション装置の構成を示すブロック図である。
ナビゲーション装置１０は、車両に搭載され、車両の経路案内を行うナビゲーション機能や施設検索機能を有する装置である。
ナビゲーション装置１０は、絶対位置方位検出機能を有するＧＰＳ（Global Positioning System）ユニット１１と、相対方位検出機能を有するジャイロユニット１２と、車速検出部１３と、ＦＭ受信部１４と、ビーコン受信部１５と、表示部１６と、指示入力部１７と、ユーザインターフェース部１８と、音声認識部１９と、制御部２０と、情報記憶部２１と、外部記録装置制御部２２と、通信制御部２３と、音楽再生部４１と、を備えている。
【００１６】
ＧＰＳユニット１１は、ＧＰＳアンテナ（レシーバでも良い）１１Ａを介してＧＰＳ衛星からのＧＰＳ電波を受信し、ＧＰＳ電波に重畳されたＧＰＳ信号から、車両の現在地を示す位置座標と進行方向とを演算により取得すると共に、ＧＰＳ信号に含まれる日時情報と車両の現在地の時差とから車両の現在地における日時情報（年、月、日、時、分等）を演算により取得し、これら情報を制御部２０に出力する。
ジャイロユニット１２は、ジャイロセンサにより車両の相対的な方位を検出して制御部２０に出力し、車速検出部１３は、車両の車速パルスＰＳに基づいて車両の速度を演算により求め、制御部２０に出力する。
【００１７】
ＦＭ受信部１４は、ＦＭアンテナ１４Ａを介してＦＭ多重放送波を受信し、ＦＭ多重放送波に重畳された交通情報（ＶＩＣＳ（Vehicle Information and Communication System）情報）を取得し、所定の処理を施して制御部２０に出力する。また、ビーコン受信部１５は、ビーコン用アンテナ１５Ａを介してビーコン情報を受信し、所定の処理を施して制御部２０に出力する。
【００１８】
表示部１６は、例えば、タッチパネル付きの液晶表示装置が適用され、制御部２０の制御の下、各種情報を表示する。指示入力部１７は、ナビゲーション装置１０が備える各種操作子やタッチパネルの操作を検出する操作検出部と、リモートコントローラ（図示せず）からの送信信号を受信する受信部等から構成され、ユーザからの各種指示を制御部２０に出力する。ユーザインターフェース部１８は、Ｉ／Ｏ制御回路やドライバ等であり、表示部１６及び指示入力部１７と、制御部２０とを接続するインターフェースである。
音声認識部１９は、マイク（図示せず）を介して入力した音声を音声認識し、その認識結果を制御部２０に出力する。すなわち、このナビゲーション装置１０は、指示入力部１７及び音声認識部１９を介してユーザ指示を入力可能に構成されている。
【００１９】
制御部２０は、このナビゲーション装置１０全体を制御するものであり、ＣＰＵ及びその周辺回路から構成され、ＣＰＵは、ＲＯＭ３０に記憶された制御プログラム等の各種データを読み出し、指示入力部１７及び音声認識部１９を介して入力されたユーザ指示に応じて、ナビゲーション装置１０の各部の制御処理を行う。また、ＤＲＡＭ３１は、ＣＰＵのワークエリアに使用されるメモリであり、ＳＲＡＭ３２は、揮発性メモリであるが、車両のアクセサリ電源等の本装置のメイン電源がオフの間も、電池等でバックアップされてメモリ内容を保持するようにされている。また、ＶＲＡＭ３３は、表示部１６の表示用データが格納されるメモリである。
【００２０】
情報記憶部２１は、地図データ、楽曲データ（特定楽曲データを含む）を記憶する記憶手段であり、具体的には、ハードディスク装置、ＣＤ−ＲＯＭやＤＶＤ−ＲＯＭ等のディスク状記録媒体に記憶された上記各データを読み出し可能な読取装置等が適用される。
外部記録装置制御部２２は、制御部２０の制御の下、このナビゲーション装置１０に接続された外部記録媒体に対してデータの記録・読み出しを行うものであり、外部記録媒体は、例えば、メモリースティック（登録商標）、メモリカード、ＣＦカード（登録商標）が適用される。
通信制御部２３は、制御部２０の制御の下、このナビゲーション装置１０に接続された無線通信機器（例えば、携帯電話機）４０を介して情報センターやインターネットに
アクセスし、無線通信ネットワークを介して各種情報を受信する。
【００２１】
制御部２０は、ユーザにより動作モードとしてナビゲーションモードへの移行が指示されると、ＣＰＵによりナビゲーションプログラムを実行し、表示部１６に地図等を表示する。より具体的には、制御部２０は、ＧＰＳユニット１１とジャイロユニット１２との検出結果に基づき車両の現在地及び進行方向を特定し、現在地周辺の地図を表示させる。また、制御部２０は、目的地が設定された場合、目的地までの最適経路を計算し、表示地図中に表示して目的地まで経路案内処理を実行する経路案内手段として機能する。
【００２２】
このナビゲーションモード中、制御部２０は、ＦＭ受信部１４やビーコン受信部１５から各種交通情報を入力すると、その情報を表示する処理（例えば、渋滞情報等を文字表示、簡易図形表示或いは地図表示する処理）を行う。
また、制御部２０は、ユーザにより動作モードとして検索モードへの移行が指示されると、検索用の制御プログラムを実行し、ユーザの希望する条件に適合する施設（観光名所、観光地、温泉、コンビニエンスストア、駐車場等）を検索する検索処理を実行する。
音楽再生部４１は、スピーカ装置、アンプなどを有し、制御部２０の制御下で各種楽曲の再生出力を行う。
【００２３】
次に実施形態の動作について説明する。
図２は、実施形態の処理フローチャートである。
まず、制御部２０は、指示入力部１７を介してナビゲーション対象の目的地が設定されているか否かを判別する（ステップＳ１１）。
ステップＳ１１の判別において、ナビゲーション対象の目的地が設定されていない場合には（ステップＳ１１；Ｎｏ）、待機状態となる。
【００２４】
ステップＳ１１の判別において、目的地が設定されている場合には（ステップＳ１２；Ｙｅｓ）、制御部２０は、特定の楽曲が登録してある登録地点を出発地点とする目的地設定であるか否かを判別する（ステップＳ１２）。ここで、特定の楽曲とは、
ステップＳ１２の判別において、特定の楽曲が登録してある登録地点を出発地点とする目的地設定である場合には（ステップＳ１２；Ｙｅｓ）、制御部２０は、処理をステップＳ１５に移行する。
【００２５】
ステップＳ１２の判別において、特定の楽曲が登録してある登録地点を出発地点とする目的地設定ではない場合には、制御部２０は、到着直前に再生を希望する楽曲（特定楽曲）を選択し、指示するための画面をユーザインターフェース部１８を介して表示部１６に表示させる（ステップＳ１３）。
【００２６】
図３は、特定楽曲（データ）の選択画面の一例の説明図である。
特定楽曲選択画面５０は、各種情報を表示するための情報表示部５１と、表示している楽曲情報（曲名など）をスクロール操作するための複数のスクロールボタンを表示するスクロールボタン表示部５２と、曲名などの楽曲情報あるいはアルバムリストを表示する楽曲情報表示部５３と、表示内容を前回の表示内容に戻すための戻りボタン５４と、楽曲情報を所望の条件で検索するための図示しない検索画面に遷移させるための検索ボタン５５と、現在表示しているアルバム（楽曲群）よりもアルバム管理番号の小さなアルバムについて楽曲情報を表示させるための前のアルバム表示ボタン５６と、現在表示しているアルバム（楽曲群）よりもアルバム管理番号の大きなアルバムについて楽曲情報を表示させるための次のアルバム表示ボタン５７と、楽曲情報を編集するための編集画面に遷移させるための編集ボタン５８と、楽曲情報表示部５３にアルバムリストを表示させるためのリスト表示ボタン５９と、ユーザに対する操作ガイドを表示するための操作ガイド表示部６０と、操作終了を指示するための終了ボタン６１と、を備えており、上述した各ボタンの表示位置を操作することにより対応する処理がなされる。
【００２７】
続いて制御部２０は、ユーザが到着直前に再生を希望する楽曲を選択したか否かを判別する（ステップＳ１４）。
ステップＳ１４の判別において、ユーザが未だ楽曲の選択を行っていない場合には（ステップＳ１４；Ｎｏ）、制御部２０は、待機状態となる。
ステップＳ１４の判別において、ユーザが楽曲の選択を行った場合には（ステップＳ１４；Ｙｅｓ）、制御部２０は、到着予想時刻、到着までの残時間を計算する（ステップＳ１５）。
【００２８】
続いて制御部２０は、到着までの残時間が特定の楽曲の再生時間に相当するか否かを判別する（ステップＳ１６）。
ステップＳ１６の判別において、到着までの残時間が特定の楽曲の再生時間に相当しない場合には（ステップＳ１６；Ｎｏ）、制御部２０は、到着予定時間からステップＳ１３において選択された特定の楽曲の再生時間を差し引いた時間内で再生が終了する楽曲を選択する（ステップＳ１７）。
【００２９】
次に制御部２０は、到着予想時刻、到着までの残時間を再び計算する（ステップＳ１８）。
続いて制御部２０は楽曲の再生が終了しているか否かを判別する（ステップＳ１９）。
ステップＳ１９の判別において、未だ楽曲の再生が終了していない、すなわち、再生中である場合には（ステップＳ１９；Ｎｏ）、制御部２０は待機状態となる。
ステップＳ１９の判別において、ステップＳ１７で選択した楽曲の再生が終了した場合には（ステップＳ１９；Ｙｅｓ）、制御部２０は到着までの残時間がステップＳ１３で選択した特定の楽曲の再生時間に相当するか否かを判別する（ステップＳ２０）。
ステップＳ２０の判別において、到着までの残時間がステップＳ１３で選択した特定の楽曲の再生時間に相当しない、すなわち、ステップＳ１３で選択した特定の楽曲の再生を終えたとしても到着までの残時間がある場合には（ステップＳ２０；Ｎｏ）、到着予定時間から特定の楽曲の再生時間を差し引いた残時間までに再生が完了する楽曲を選択し（ステップＳ２１）、処理を再びステップＳ１８に移行する。
【００３０】
ステップＳ２０の判別において、到着までの残時間がステップＳ１３で選択した特定の楽曲の再生時間に相当する場合には（ステップＳ２０；Ｙｅｓ）、ステップＳ１３で選択した特定の楽曲を選択し、再生を開始する（ステップＳ２２）。
次に制御部２０は、自車両が目的地に到着したか否かを判別する（ステップＳ２３）。
ステップＳ２３の判別において、自車両が目的地に到着していない場合には（ステップＳ２３；Ｎｏ）、制御部２０は、到着するまでステップＳ１３で選択した特定の楽曲の再生を行いつつ、待機状態となる。
ステップＳ２３の自車両が目的地に到着した場合には、制御部２０は、処理を終了する。
【００３１】
以上の説明のように、本実施形態によれば、到着までの残時間に合わせて曲を自動で選択し、再生を行うことができ、運転中にユーザが行う操作を軽減しながらも、曲の途中で再生が終了してしまうことや、到着前に再生が終了してしまうことを防ぐことができる。
さらに目的地が近くなった状況で、ユーザが選択した特定の楽曲の再生が始まるようにされているので、ユーザは目的地が近いことを容易に知ることができる。
【００３２】
以上の説明においては、ステップＳ２１の処理において、楽曲を１曲ずつ選択するようにしていたが、複数曲を選択するように構成することも可能である。
以上の説明においては、特定の楽曲が到着予定時刻に再生が完了する場合について説明したが、到着予定時刻を含む前後の所定時間内に再生が完了するようにすることも可能である。
【図面の簡単な説明】
【００３３】
【図１】本実施の形態に係るナビゲーション装置の構成を示すブロック図である。
【図２】実施形態の処理フローチャートである。
【図３】特定楽曲（データ）の選択画面の一例の説明図である。
【符号の説明】
【００３４】
１  ナビゲーション装置
１１  ＧＰＳユニット
１２  ジャイロユニット
１６  表示部
２０  制御部（到着予定時間算出部、再生制御部）
２１  情報記憶部（楽曲記憶部）
２３  通信制御部
４０  無線通信機器
４１  音楽再生部（再生部）
５０  特定楽曲の選択画面
【図１】
2006268941.tif 000003
【図２】
2006268941.tif 000004
【図３】
2006268941.tif 000005